(57)【要約】【課題】光源が故障により点灯しないときでも内部の保守情報を取得し、確認することができるプロジェクターを提供する。【解決手段】起動時に光源を点灯させる通常モードと、光源を点灯させないメンテナンスモードのいずれかを設定するモード設定手段２０２と、外部機器との間で通信する通信手段２６と、メンテナンスモードでの動作時に、内部の保守情報２１１を外部機器に出力する制御手段２０と、を備える。【選択図】図４
2015018151.tif 000002
【特許請求の範囲】
【請求項１】
光源から射出された光を、入力される画像信号に基づく画像情報に応じて変調し、投写レンズより投写面に画像を投写する画像投写手段と、これらを収容する筐体と、を有するプロジェクターであって、
当該プロジェクターの起動時に、前記光源を点灯させる通常モードと、前記光源を点灯させないメンテナンスモードのいずれかを設定するモード設定手段と、
外部機器との間で通信を行う通信手段と、
前記メンテナンスモードでの動作時に、前記通信手段を介して当該プロジェクターの保守情報を前記外部機器に出力する制御手段と、
を備えたことを特徴とするプロジェクター。
【請求項２】
請求項１に記載のプロジェクターにおいて、
入力操作を受け付ける入力操作手段と、
前記筐体に備えられ、前記投写レンズを閉鎖するシャッターと、
前記シャッターが開放位置、閉鎖位置のいずれの位置にあるかを検出するシャッター位置検出手段と、をさらに備え、
前記モード設定手段は、当該プロジェクターの起動時に、前記入力操作手段より電源オン操作を受け付けてから、第１の時間が経過する前に前記シャッターが前記開放位置に移動した場合、前記通常モードに設定し、前記第１の時間が経過し、かつ前記シャッターが前記閉鎖位置にあった場合、前記メンテナンスモードに設定する、ことを特徴とするプロジェクター。
【請求項３】
請求項２に記載のプロジェクターにおいて、
前記モード設定手段は、当該プロジェクターの起動時に、前記シャッターが前記閉鎖位置にあり、かつ前記入力操作手段より電源オン操作を受け付けてから、前記第１の時間が経過する前に前記入力操作手段より所定の操作を受け付けた場合に、当該プロジェクターを前記メンテナンスモードに設定する、ことを特徴とするプロジェクター。
【請求項４】
請求項２または３に記載のプロジェクターにおいて、
前記光源の故障または前記光源が前記筐体に装着されていないことを検出する、光源検出手段をさらに備え、
前記モード設定手段は、当該プロジェクターの起動時に、前記シャッターが前記閉鎖位置にあり、かつ前記光源検出手段により、前記光源が故障または前記光源が前記筐体に装着されていないことを検出した場合、前記メンテナンスモードに設定する、ことを特徴とするプロジェクター。
【請求項５】
請求項１から４のいずれか一項に記載のプロジェクターにおいて、
前記モード設定手段により、前記通常モードまたは前記メンテナンスモードのいずれが設定されているかを報知する報知手段、
をさらに備えたことを特徴とするプロジェクター。
【請求項６】
光源から射出された光を、入力される画像信号に基づく画像情報に応じて変調し、投写面に画像を投写する画像投写手段と、外部機器との間で通信を行う通信手段と、を備えたプロジェクターの制御方法であって、
当該プロジェクターの起動時に、前記光源を点灯させる通常モードと、前記光源を点灯させないメンテナンスモードのいずれかを設定するモード設定ステップと、
前記メンテナンスモードでの動作時に、前記通信手段を介して当該プロジェクターの保守情報を前記外部機器に出力する制御ステップと、
を有することを特徴とするプロジェクターの制御方法。
【発明の詳細な説明】
【技術分野】
【０００１】
本発明は、プロジェクター、およびプロジェクターの制御方法に関する。
【背景技術】
【０００２】
従来、画像を投写するプロジェクターは、光源が故障して点灯しなくなったときは電源オン操作を行うと、故障状態と判断され、起動できなくなる。プロジェクター内部の保守情報を取得したい場合にはプロジェクターが起動した状態で通信を行うが、故障状態でプロジェクターが起動しない場合は通信が行えなかった。
このため、特許文献１には、光源を点灯させないで起動する第２モードを備えたプロジェクターが開示されている。
【先行技術文献】
【特許文献】
【０００３】
【特許文献１】特開２００９−２６５４６６号公報
【発明の概要】
【発明が解決しようとする課題】
【０００４】
しかし、特許文献１のようなプロジェクターでは、光源を点灯させないで起動するためには複数のキーの同時押しなどの複雑な操作が必要であり、誤って通常のモードでの電源オン操作を行ってしまう可能性があった。また、内部の保守情報を取得することはできないという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、光源から射出された光を、入力される画像信号に基づく画像情報に応じて変調し、投写レンズより投写面に画像を投写する画像投写手段と、これらを収容する筐体と、を有するプロジェクターであって、当該プロジェクターの起動時に、前記光源を点灯させる通常モードと、前記光源を点灯させないメンテナンスモードのいずれかを設定するモード設定手段と、外部機器との間で通信を行う通信手段と、前記メンテナンスモードでの動作時に、前記通信手段を介して当該プロジェクターの保守情報を前記外部機器に出力する制御手段と、を備えたことを特徴とする。
【０００７】
本適用例によれば、プロジェクターの光源を点灯せずに動作するメンテナンスモードにおいて、通信手段を介してプロジェクターの保守情報を外部機器に出力する。これにより、プロジェクターの光源が点灯しない故障状態において、外部機器によってプロジェクターの保守情報を確認し、故障の原因解析を行うことが可能となる。
【０００８】
［適用例２］上記適用例に記載のプロジェクターにおいて、入力操作を受け付ける入力操作手段と、前記筐体に備えられ、前記投写レンズを閉鎖するシャッターと、前記シャッターが開放位置、閉鎖位置のいずれの位置にあるかを検出するシャッター位置検出手段と、をさらに備え、前記モード設定手段は、当該プロジェクターの起動時に、前記入力操作手段より電源オン操作を受け付けてから、第１の時間が経過する前に前記シャッターが前記開放位置に移動した場合、前記通常モードに設定し、前記第１の時間が経過し、かつ前記シャッターが前記閉鎖位置にあった場合、前記メンテナンスモードに設定することが好ましい。
【０００９】
本適用例によれば、プロジェクターの投写レンズを開放または閉鎖するシャッターを備え、電源オン時にシャッターを第１の時間閉鎖することで、メンテナンスモードに設定する。つまり、通常モードで動作させたい場合は電源オン操作してから第１の時間経過前にシャッターを開放し、メンテナンスモードで動作させたい場合は電源オン操作してから第１の時間、シャッターを閉鎖させればよいので、簡易な操作で動作モードを選択することが可能となる。
【００１０】
［適用例３］上記適用例に記載のプロジェクターにおいて、前記モード設定手段は、当該プロジェクターの起動時に、前記シャッターが前記閉鎖位置にあり、かつ前記入力操作手段より電源オン操作を受け付けてから、前記第１の時間が経過する前に前記入力操作手段より所定の操作を受け付けた場合に、当該プロジェクターを前記メンテナンスモードに設定することが好ましい。
【００１１】
本適用例によれば、プロジェクターの起動時に、シャッターを閉鎖し、所定の操作をすることで、プロジェクターを直ちにメンテナンスモードで動作させることが可能となる。
【００１２】
［適用例４］上記適用例に記載のプロジェクターにおいて、前記光源の故障または前記光源が前記筐体に装着されていないことを検出する、光源検出手段をさらに備え、前記モード設定手段は、当該プロジェクターの起動時に、前記シャッターが前記閉鎖位置にあり、かつ前記光源検出手段により、前記光源が故障または前記光源が前記筐体に装着されていないことを検出した場合、前記メンテナンスモードに設定することが好ましい。
【００１３】
本適用例によれば、プロジェクターの起動時に、シャッターが閉鎖し、光源が故障または装着されていなかった場合にメンテナンスモードに設定する。つまり、光源が故障または装着されておらず点灯しない状態のときは、シャッターを閉鎖して電源オン操作することにより、直ちにメンテナンスモードで動作させることが可能となる。
【００１４】
［適用例５］上記適用例に記載のプロジェクターにおいて、前記モード設定手段により、前記通常モードまたは前記メンテナンスモードのいずれが設定されているかを報知する報知手段、をさらに備えることが好ましい。
【００１５】
本適用例によれば、通常モードまたはメンテナンスモードのいずれが設定されているかを報知する報知手段により、どちらのモードで動作しているかがわかる。これにより、プロジェクターの光源が消灯している場合、故障で点灯しないのか、メンテナンスモードにより点灯してないのかを判別することが可能となる。
【００１６】
［適用例６］本適用例に係るプロジェクターの制御方法は、光源から射出された光を、入力される画像信号に基づく画像情報に応じて変調し、投写面に画像を投写する画像投写手段と、外部機器との間で通信を行う通信手段と、を備えたプロジェクターの制御方法であって、当該プロジェクターの起動時に、前記光源を点灯させる通常モードと、前記光源を点灯させないメンテナンスモードのいずれかを設定するモード設定ステップと、前記メンテナンスモードでの動作時に、前記通信手段を介して当該プロジェクターの保守情報を前記外部機器に出力する制御ステップと、を有することを特徴とする。
【００１７】
本適用例によれば、プロジェクターの光源を点灯せずに動作するメンテナンスモードにおいて、通信手段を介してプロジェクターの保守情報を外部機器に出力する。これにより、プロジェクターの光源が点灯しない故障状態において、外部機器によってプロジェクターの保守情報を確認し、故障の原因解析を行うことが可能となる。
【図面の簡単な説明】
【００１８】
【図１】実施形態に係るプロジェクターの斜視図であり、（ａ）はシャッターが開放位置、（ｂ）はシャッターが閉鎖位置にあるときの状態を示す。
【図２】プロジェクターの部分平面図であり、スリット周辺を部分的に示す図。
【図３】シャッターの開閉とプロジェクターの動作状態に応じた報知手段の報知の遷移を示す図。
【図４】プロジェクターの回路構成を示すブロック図。
【図５】プロジェクターが電源オンするときの動作を示すフローチャート。
【図６】プロジェクターのメンテナンスモードでの動作を示すフローチャート。
【発明を実施するための形態】
【００１９】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００２０】
（実施形態）
図１は実施形態に係るプロジェクター１を前方から見た斜視図であり、図１（ａ）はシャッター４が開放位置にあるとき、図１（ｂ）はシャッター４が閉鎖位置にあるときの状態を示す。
【００２１】
図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００２２】
筐体２の上面２ｔには、ユーザーにより入力操作が行われる複数の操作キーを備えた入力操作手段２３と、ＬＥＤ（Light emitting diode）などから構成される報知手段２５が備えられている。
筐体２の前面２ｆには、開口部３が形成されており、開口部３の内側には、前方に向かって画像光を投写する投写レンズ１３が備えられている。開口部３には、カバー部材としてのシャッター４が開閉可能に備えられており、開口部３をシャッター４で閉鎖することによって、投写レンズ１３を保護するとともに投写光を遮光することが可能となっている。
【００２３】
シャッター４は、合成樹脂製で略矩形の板状体であり、その１つの角部には、開閉操作を行うための操作ツマミ４ａが一体的に形成されている。操作ツマミ４ａは、筐体２の上面２ｔに形成されたスリット５から露出しており、そのスリット５に沿って操作ツマミ４ａを左右にスライド操作することによって、シャッター４の開閉を行うことができる。また、操作ツマミ４ａは、筐体２の上面２ｔよりも上方に突出するようになっており、スライド操作を容易にしている。
【００２４】
図１（ａ）に示すように、シャッター４が開放位置にあるとき、シャッター４は、開口部３を開放し、投写レンズ１３が露出する。
図１（ｂ）に示すように、シャッター４が閉鎖位置にあるとき、シャッター４は、開口部３を閉鎖する。
【００２５】
また、筐体２の内側、シャッター４と隣接する部分にはシャッター４の位置を検出する、図示しないフォトセンサーなどで構成されるシャッター位置検出手段１９（図４）が配置されており、シャッター４が、開放位置、または閉鎖位置のいずれにあるかを判断することができるようになっている。
【００２６】
図２は、プロジェクター１の部分平面図であり、筐体２の上面２ｔに設けられたスリット５の周辺部を部分的に示している。
【００２７】
図２に示すように、スリット５は、筐体２の前面２ｆと並行するように形成されており、シャッター４は、不図示のスライド機構によって前面２ｆに沿った横方向に操作ツマミ４ａが摺動可能になっている。つまり、操作ツマミ４ａがスリット５の左端部（前方に向かって左側の端部）５ａに接する位置と、操作ツマミ４ａがスリット５の右端部（前方に向かって右側の端部）５ｂに接する位置との間を移動可能になっている。
また、スリット５の近傍には報知手段２５が備えられている。
【００２８】
これ以降、操作ツマミ４ａをスリット５の左端部５ａに移動させたときのシャッター４の位置を「閉鎖位置」と呼び、操作ツマミ４ａをスリット５の右端部５ｂに移動させたときのシャッター４の位置を「開放位置」と呼び、以降、適宜使用する。
【００２９】
図３はシャッター４の開閉とプロジェクター１の動作状態に応じた報知手段２５の報知の遷移を示す図である。
図３（ａ）はシャッター４が閉鎖位置にあり、プロジェクター１の電源をオフした状態（スタンバイ状態）を示す。図３（ａ）に示すように、報知手段２５はスタンバイ状態であることを報知する。
なお、図３（ａ）に示す状態からプロジェクター１の電源をオンすると図３（ｂ）に示す状態に遷移する。
【００３０】
図３（ｂ）はシャッター４が閉鎖位置にあり、プロジェクター１の電源をオンした状態を示す。図３（ｂ）に示すように、この状態では光源１１は点灯していない。また、報知手段２５が、プロジェクター１の電源はオンしており、シャッター４が閉鎖されており、動作モードの選択中であることを報知する。
【００３１】
図３（ｂ）に示す状態において、光源１１が故障している、または光源１１がプロジェクター１（筐体２）に装着されていないことを検出した場合は図３（ｄ）に示す状態に遷移する。また、図３（ｂ）に示す状態から所定の時間Ｔ１（第１の時間）を経過するか、所定の操作を検出した場合に、図３（ｄ）に示す状態に遷移する。また、図３（ｂ）に示す状態から所定の時間Ｔ１が経過する前にシャッター４を開放位置に移動した場合は、図３（ｃ）に示す状態に遷移する。
【００３２】
図３（ｃ）に示すように、シャッター４が開放位置にあり、プロジェクター１が電源オンした状態では光源１１が点灯し、報知手段２５は、プロジェクター１が通常の動作を行うことが可能な状態であることを報知する。この状態を通常モードという。
【００３３】
図３（ｄ）に示すように、シャッター４が閉鎖位置にあり、プロジェクター１が電源オンした状態では光源１１は消灯したままで、報知手段２５は、プロジェクター１の保守情報を外部機器に出力することが可能な状態であることを報知する。この状態をメンテナンスモードという。
【００３４】
なお、図３（ａ）〜（ｄ）の各状態において報知手段２５の報知パターンは全て異なる。
【００３５】
図４は、プロジェクター１の回路構成を示すブロック図である。
図４に示すように、プロジェクター１は、画像入力端子６、画像投写手段１０、ＯＳＤ処理手段１６、画像信号処理手段１７、画像信号入力手段１８、シャッター位置検出手段１９、制御手段２０、記憶手段２１、光源制御手段２２、入力操作手段２３、報知手段２５、通信手段２６、電源端子３０、電源部３１等で構成されており、これらは筐体２（図１）の内部、または外面に収容されている。
【００３６】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによってスクリーンＳＣ等に画像を表示する。
【００３７】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００３８】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂは、マトリックス状に配列された複数の画素（図示せず）が形成され、液晶に対して画素毎に駆動電圧を印加可能に構成されている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３９】
本実施形態では、光源として光源ランプ１１ａを用いて投写するプロジェクター１を例示したが、本発明は、光源としてＬＥＤ光源やレーザー光源などを用いて投写するプロジェクターにも適用することができる。
【００４０】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００４１】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は時間を計時するタイマー２０１と、通常モード、またはメンテナンスモードのいずれかを設定するモード設定手段２０２とを備える。通常モードは光源１１を点灯させて画像を投写する、通常の動作をするモードであり、メンテナンスモードは、光源１１を点灯させずに動作するモードである。
【００４２】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。記憶手段２１は保守情報２１１を保存する。保守情報２１１はプロジェクター１の内部情報であり、プロジェクター１の使用時間情報、制御プログラムのバージョン情報、異常状態の検出情報、ユーザーによる設定情報などがある。
【００４３】
入力操作手段２３は、ユーザーがプロジェクター１に対して各種指示を行うための複数の操作キーを備えている。入力操作手段２３は、図示は省略するが、ユーザーがプロジェクター１に対して各種指示を行うための複数の操作キーを備え、プロジェクター１の筐体外面に備えられる本体キーで構成される。
入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューからユーザーが設定項目を選択するカーソルキー、決定キー、エスケープキー等がある。
【００４４】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００４５】
画像信号入力手段１８には、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００４６】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ）、緑（Ｇ）、青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００４７】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００４８】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００４９】
液晶駆動手段１４が、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３から投写される。
【００５０】
光源制御手段２２は、制御手段２０の指示に基づいて、光源１１に対する電力の供給と停止とを制御し、光源１１の点灯、および消灯を切り替える。また、光源制御手段２２は、光源検出手段としても動作し、光源１１に異常が発生したこと（光源故障）、または光源１１がプロジェクター１（筐体２）に装着されていないこと（光源非装着）を検出して制御手段２０に通知する。
【００５１】
シャッター位置検出手段１９は、フォトセンサーや磁気センサー、メカスイッチなどで構成され、シャッター４を操作ツマミ４ａでスライド移動したときの位置が、開放位置または閉鎖位置のいずれの位置にあるかを検出し、その検出結果を制御手段２０に出力する。
【００５２】
報知手段２５は、図１で示したように、ＬＥＤなどから構成され、制御手段２０の指示により、プロジェクター１の動作状態を報知する。図３で示したように、報知手段２５は、プロジェクター１がスタンバイ状態、動作モードを選択中、通常モード、またはメンテナンスモードで動作中、であることを異なる点灯色、点灯パターンなどで報知する。
【００５３】
通信手段２６は、図示しない接続端子を介して、外部機器、例えば外部の情報処理装置と通信を行い、保守情報２１１に保存される内部情報を情報処理装置に出力する。また、情報処理装置より制御コマンドを受け付ける。
【００５４】
電源部３１には、電源端子３０を介してＡＣ１００Ｖ等の電力が外部から供給される。電源部３１は、入力した電力（交流電力）を所定の直流電力に変換して、プロジェクター１の各部に変換した電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００５５】
次に、本実施形態のプロジェクター１の動作を図５および図６を用いて説明する。
【００５６】
図５はプロジェクター１が電源オンするときの動作を示すフローチャート、図６はプロジェクター１のメンテナンスモードでの動作を示すフローチャートである。
【００５７】
［電源オンするときの動作］
図５に示すように、プロジェクター１がスタンバイ状態において入力操作手段２３の電源キー操作などにより電源オンすると（ステップＳ１０１）、ステップＳ１０２に遷移する。スタンバイ状態が図３（ａ）に示す状態に相当する。
【００５８】
ステップＳ１０２において制御手段２０は、シャッター位置検出手段１９の検出結果に基づき、シャッター４が開放位置にあるか否かを調べる。シャッター４が開放位置にある場合（ステップＳ１０２：Ｙ）には、ステップＳ１１１に遷移する。シャッター４が開放位置にない、即ち閉鎖位置にある場合（ステップＳ１０２：Ｎ）には、ステップＳ１０３に遷移する。
【００５９】
ステップＳ１０３において制御手段２０は、光源検出手段としての光源制御手段２２により、光源１１が故障または光源１１が非装着であるか否かを調べる。光源１１が故障または光源１１が非装着の場合（ステップＳ１０３：Ｙ）には、ステップＳ１２０に遷移する。光源１１が装着され、故障していない場合（ステップＳ１０３：Ｎ）には、ステップＳ１０４に遷移する。
【００６０】
ステップＳ１０４において制御手段２０は、報知手段２５に、動作モードの選択中であることを報知させ、ステップＳ１０５に遷移する。この状態が、図３（ｂ）に示す状態に相当する。
【００６１】
ステップＳ１０５において制御手段２０は、タイマー２０１による計時を開始し、ステップＳ１０６に遷移する。
【００６２】
ステップＳ１０６において制御手段２０は、入力操作手段２３の所定のキーとして、例えば決定キーが操作されたか否かを調べる。決定キーが操作された場合（ステップＳ１０６：Ｙ）には、ステップＳ１０９に遷移する。決定キーが操作されない場合（ステップＳ１０６：Ｎ）には、ステップＳ１０７に遷移する。
【００６３】
ステップＳ１０７において制御手段２０は、シャッター位置検出手段１９の検出結果に基づき、シャッター４が開放位置にあるか否かを調べる。シャッター４が開放位置にある場合（ステップＳ１０７：Ｙ）には、ステップＳ１１０に遷移する。シャッター４が開放位置にない、即ち閉鎖位置にある場合（ステップＳ１０７：Ｎ）には、ステップＳ１０８に遷移する。
【００６４】
ステップＳ１０８において制御手段２０は、タイマー２０１が時間Ｔ１（例えば１０秒）を経過したか否かを調べる。タイマー２０１が時間Ｔ１を経過した場合（ステップＳ１０８：Ｙ）には、ステップＳ１０９に遷移する。タイマー２０１が時間Ｔ１を経過していない場合（ステップＳ１０８：Ｎ）には、ステップＳ１０６へ遷移する。
【００６５】
ステップＳ１０９において制御手段２０は、タイマー２０１による計時を停止し、ステップＳ１２０に遷移する。
【００６６】
ステップＳ１１０において制御手段２０は、タイマー２０１による計時を停止し、ステップＳ１１１に遷移する。
【００６７】
ステップＳ１１１において制御手段２０は、光源制御手段２２により光源１１を点灯させ、ステップＳ１１２に遷移する。
【００６８】
ステップＳ１１２において制御手段２０は、報知手段２５に、通常モードで動作中であることを報知させ、ステップＳ１１３に遷移する。この状態が図３（ｃ）の状態に相当する。
【００６９】
ステップＳ１１３においてモード設定手段２０２は、プロジェクター１を通常モードに設定し、ステップＳ１１４に遷移する。ステップＳ１１３がモード設定ステップに相当する。
【００７０】
ステップＳ１１４において制御手段２０は、画像信号入力手段１８から入力される画像信号に基づく画像光を画像投写手段１０により投写させ、本動作フローを終了する。
【００７１】
ステップＳ１２０において制御手段２０は、報知手段２５に、メンテナンスモードで動作中であることを報知させ、ステップＳ１２１に遷移する。この状態が図３（ｄ）に示す状態に相当する。
【００７２】
ステップＳ１２１においてモード設定手段２０２は、プロジェクター１をメンテナンスモードに設定し、ステップＳ１２２に遷移する。ステップＳ１２１がモード設定ステップに相当する。
【００７３】
ステップＳ１２２において制御手段２０は、プロジェクター１をメンテナンスモードで動作開始し、本動作フローを終了する。
【００７４】
［メンテナンスモードの動作］
図６に示すように、プロジェクター１がメンテナンスモードでの動作を開始すると（ステップＳ２０１）、ステップＳ２０２に遷移する。
【００７５】
ステップＳ２０２において、制御手段２０は、入力操作手段２３の操作キーまたは通信手段２６を介しての通信コマンドにより、保守情報２１１の出力操作を受け付けたか否かを調べる。保守情報２１１の出力操作を受け付けた場合（ステップＳ２０２：Ｙ）には、ステップＳ２０４に遷移する。保守情報２１１の出力操作を受け付けていない場合（ステップＳ２０２：Ｎ）には、ステップＳ２０３に遷移する。
【００７６】
ステップＳ２０３において制御手段２０は、入力操作手段２３の電源キーなどにより、電源オフ操作を受け付けたか否かを調べる。電源オフ操作を受け付けた場合（ステップＳ２０３：Ｙ）には、ステップＳ２０５に遷移する。電源オフ操作を受け付けていない場合（ステップＳ２０３：Ｎ）にはステップＳ２０２に遷移する。
【００７７】
ステップＳ２０４において制御手段２０は、ステップＳ２０２に受け付けた操作に従って、保守情報２１１に保存される内部情報を、通信手段２６を介して外部機器に出力し、ステップＳ２０２に遷移する。ステップＳ２０４が制御ステップに相当する。
【００７８】
ステップＳ２０５において制御手段２０は、プロジェクター１の電源をオフしてスタンバイ状態に移行させ、本動作フローを終了する。
【００７９】
上述した実施形態によれば、以下の効果を得られる。
本実施形態のプロジェクター１によれば、プロジェクター１の光源１１を点灯せずに動作するメンテナンスモードにおいて、通信手段２６を介してプロジェクター１の保守情報２１１を外部機器に出力する。これにより、プロジェクター１の光源１１が点灯しない故障状態において、外部機器によってプロジェクター１の保守情報２１１を確認し、故障の原因解析を行うことが可能となる。
【００８０】
また、プロジェクター１の投写レンズ１３を開放または閉鎖するシャッター４を備え、電源オン時にシャッター４を時間Ｔ１の間閉鎖することで、メンテナンスモードに設定する。つまり、通常モードで動作させたい場合は電源オン操作してから時間Ｔ１が経過する前にシャッター４を開放し、メンテナンスモードで動作させたい場合は電源オン操作してから時間Ｔ１が経過するまで、シャッター４を閉鎖させればよいので、簡易な操作で動作モードを選択することが可能となる。
【００８１】
また、プロジェクター１の起動時に、シャッター４を閉鎖し、所定の操作をすることで、プロジェクター１を直ちにメンテナンスモードで動作させることが可能となる。
【００８２】
また、プロジェクター１の起動時に、シャッター４が閉鎖し、光源１１が故障または装着されていなかった場合にメンテナンスモードに設定する。つまり、光源１１が故障または装着されておらず点灯しない状態のときは、シャッター４を閉鎖して電源オン操作することにより、直ちにメンテナンスモードで動作させることが可能となる。
【００８３】
また、通常モードまたはメンテナンスモードのいずれが設定されているかを報知する報知手段２５により、どちらのモードで動作しているかがわかる。これにより、プロジェクター１の光源１１が消灯している場合、故障で点灯しないのか、メンテナンスモードにより点灯してないのかを判別することが可能となる。
【００８４】
また、上記実施形態は、以下のように変更してもよい。
（変形例１）
上述した実施形態では、起動時に所定の操作を行うことにより、メンテナンスモードに設定しているが、通常モードでの動作中に、所定の操作を行うことにより、メンテナンスモードに移行させるようにしてもよい。これにより、動作中に光源１１が故障した場合などに、スタンバイ状態を介さずに直接メンテナンスモードに移行させることが可能となる。
【符号の説明】
【００８５】
１…プロジェクター、２…筐体、３…開口部、４…シャッター、４ａ…操作ツマミ、５…スリット、５ａ…左端部、５ｂ…右端部、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、１９…シャッター位置検出手段、２０…制御手段、２０１…タイマー、２０２…モード設定手段、２１…記憶手段、２１１…保守情報、２２…光源制御手段、２３…入力操作手段、２５…報知手段、２６…通信手段、３０…電源端子、３１…電源部。
【図１】
2015018151.tif 000003
【図２】
2015018151.tif 000004
【図３】
2015018151.tif 000005
【図４】
2015018151.tif 000006
【図５】
2015018151.tif 000007
【図６】
2015018151.tif 000008